(57)【要約】      （修正有）【課題】尿漏れや経血等の水系液体を、漏れを防止しつつ吸収し得る漏れ防止吸水構造並びにその構造を備えた衣類及び漏れ防止吸水体を提供する。【解決手段】漏れ防止吸水構造は、非透水性シート材３０の両外側縁近傍部３１ａを、それぞれ、より幅の狭い透水性シート材１０の両外側縁近傍部１１ａと重ね合わせて縫い合わせることにより形成した筒形状体の内外を反転させ、非透水性シート材３０の両外側縁近傍部３１ａが互いに内側へ屈曲した状態で、透水性シート材１０の両外側縁近傍部１１ａと接合され、それぞれ透水性層部Ａと非透水性層部Ｃを構成することにより、透水性層部Ａの両外側縁Ａ１は非透水性層部Ｃの両外側縁Ｃ１よりも内側に位置する扁平筒形状体Ｆとなる。扁平筒形状体Ｆ内における透水性層部Ａと非透水性層部Ｃの間に吸水材２０を挿入することにより、透水性層部Ａと吸水層部Ｂと非透水性層部Ｃが積層状をなす。【選択図】図５
0003232993.tif 000002
【実用新案登録請求の範囲】
【請求項１】
一対の相対する外側縁を有する透水性シート材からなる透水性層部と、
吸水部を有する吸水材からなる吸水層部と
一対の相対する外側縁を有する非透水性シート材からなる非透水性層部が、
前記透水性層部と前記非透水性層部の間に前記吸水層部が位置するように積層状をなす漏れ防止吸水構造であって、
前記非透水性シート材の一方の外側縁近傍部と他方の外側縁近傍部は、前記透水性層部側において互いに内側へ屈曲した状態で、それぞれ、前記透水性シート材の一方の外側縁近傍部及び他方の外側縁近傍部と接合されており、
前記非透水性層部を構成する非透水性シート材と前記透水性層部を構成する前記透水性シート材は、前記透水性層部の両外側縁が前記非透水性層部の両外側縁よりもそれぞれ内側に位置する状態で、扁平筒形状体を構成し、
その扁平筒形状体内における前記透水性層部と前記非透水性層部の間に、前記吸水材が位置して吸水層部を構成することにより、前記透水性層部と前記吸水層部と前記非透水性層部が、この順に積層状をなすことを特徴とする漏れ防止吸水構造。
【請求項２】
上記非透水性シート材が、上記透水性シート材よりも、前記一対の相対する外側縁同士の幅が広いものであり、
前記非透水性シート材の一方の外側縁近傍部と他方の外側縁近傍部が、それぞれ、前記透水性シート材の一方の外側縁近傍部及び他方の外側縁近傍部と重ねて縫い合わせられた筒形状体の内側と外側が反転した状態において、前記非透水性シート材の一方の外側縁近傍部と他方の外側縁近傍部は、上記透水性層部側において互いに内側へ屈曲した状態で、それぞれ、前記透水性シート材の一方の外側縁近傍部及び他方の外側縁近傍部と接合されており、
上記非透水性層部を構成する前記非透水性シート材と上記透水性層部を構成する前記透水性シート材は、前記透水性層部の両外側縁が前記非透水性層部の両外側縁よりもそれぞれ内側に位置する状態で、上記扁平筒形状体を構成している請求項１記載の漏れ防止吸水構造。
【請求項３】
上記非透水性シート材の一方の外側縁近傍部及び他方の外側縁近傍部の、それぞれ、上記透水性シート材の一方の外側縁近傍部及び他方の外側縁近傍部との接合が、縫い合わせによる接合である請求項１又は２記載の漏れ防止吸水構造。
【請求項４】
上記吸水材が一対の相対する外側縁を有し、
上記非透水性シート材の一対の相対する外側縁近傍部のうち、上記透水性層部側において内側へ屈曲した部分により、前記吸水材の外側縁近傍部が上記非透水性層部側、外側及び前記透水性層部側にわたり覆われている請求項１乃至３の何れか１項に記載の漏れ防止吸水構造。
【請求項５】
上記吸水材が、上記透水性層部側に吸水部を有し、上記非透水性層部側は非透水部により構成されている請求項１乃至４の何れか１項に記載の漏れ防止吸水構造。
【請求項６】
上記扁平筒形状体は、その扁平筒形状体内の両外側縁同士の幅が、当該扁平筒形状体の一方の端部から他方の端部に向かって漸次縮小する漸次縮小筒状部分を有し、
上記吸水材が、一対の相対する外側縁を有すると共に、それらの外側縁同士の幅が、当該吸水材の一方の端部から他方の端部に向かって漸次縮小する漸次縮小部分を有し、
前記扁平筒形状体内に対し、その前記一方の端部より、前記吸水材が、その前記他方の端部側から挿入され、前記漸次縮小筒状部分に前記漸次縮小部分が嵌合保持されるものである請求項１乃至５の何れか１項に記載の漏れ防止吸水構造。
【請求項７】
上記扁平筒形状体内における透水性層部と非透水性層部の間に、上記吸水材が前記扁平筒形状体に対し非縫着及び非接合状態で位置する請求項１乃至６の何れか１項に記載の漏れ防止吸水構造。
【請求項８】
上記扁平筒形状体内の一方の端部及び他方の端部の両方又は一方に上記吸水材の一部が位置しない請求項１乃至７の何れか１項に記載の漏れ防止吸水構造。
【請求項９】
請求項１乃至８の何れか１項に記載の漏れ防止吸水構造を所要箇所に備えた衣類。
【請求項１０】
股部を有し、その股部の内面側に上記透水性層部が位置するように漏れ防止吸水構造を備えた請求項９記載の衣類。
【請求項１１】
請求項１乃至８の何れか１項に記載の漏れ防止吸水構造を備えた漏れ防止吸水体。
【請求項１２】
股部を有し、その股部の内面側に上記透水性層部が位置するように請求項１１記載の漏れ防止吸水体を保持した衣類。
【請求項１３】
内面側に扁平袋状部が設けられ、
その扁平袋状部の内面側に透水性シート状部を有し、
その透水性シート状部に上記透水性層部が臨むように、前記扁平袋状部内に請求項１１記載の漏れ防止吸水体を保持した衣類。
【請求項１４】
請求項５記載の漏れ防止吸水構造を備えた漏れ防止吸水体を保持した衣類であって、
前記漏れ防止吸水体における扁平筒形状体内の吸水材の一方の端部及び他方の端部の両方又は一方に、透水性層部側に吸水部を有しない部分があり、当該吸水部を有しない部分と、透水性シート材と、非透水性シート材と衣類の所要箇所が縫着保持された衣類。
【考案の詳細な説明】
【技術分野】
【０００１】
本考案は、股部を有する衣類の股部の内面側等に用いる漏れ防止吸水構造並びにその構造を備えた衣類及び漏れ防止吸水体に関する。
【背景技術】
【０００２】
特開２０１５−２９５４２号公報には、表側面から裏側面に体液を浸透させる浸透布２と、股下部６１の肌側面に接して配置され、股下部６１への体液の浸入を防止する防液布３と、浸透布２と防液布３との間に設けられ、体液を吸収して保持可能な多層構造の多層積層体４とを有する体液吸収パッド１及びその体液吸収パッドが取り付けられた衣類の考案が開示されている。
【０００３】
この体液吸収パッド１においては、図７及び図８に示されるように、浸透布２の外周縁と防液布３の外周縁との間は、撥水性の撥水布５によって繋ぎ合わされており、撥水布５と防液布３は、縫着糸Ｌにより縫着されている。そのため、浸透布２に浸透した体液は、撥水布５の内側の表面を経て撥水布５と防液布３の縫着部に至り、縫着糸Ｌを通じて防液布３から漏れることが生じることが考えられる。
【０００４】
また、前記体液吸収パッド１は、図７及び図８に示されるように、浸透布２と吸収層４１・４３、浸透布２と撥水布５、撥水布５と防液布３が、それぞれ縫着糸Ｌにより縫着されて得られるものであるため、必ずしも製造効率に優れるものとは言い難い。
【先行技術文献】
【特許文献】
【０００５】
【特許文献１】特開２０１５−２９５４２号公報
【考案の概要】
【考案が解決しようとする課題】
【０００６】
本考案は、尿漏れ、経血、その他の水系液体を、漏れを防止しつつ吸収することができる漏れ防止吸水構造並びにその構造を備えた衣類及び漏れ防止吸水体を提供することを目的とする。
【課題を解決するための手段】
【０００７】
本考案の漏れ防止吸水構造並びにその構造を備えた衣類及び漏れ防止吸水体は、例えば次のように表すことができる。
【０００８】
(1) 一対の相対する外側縁を有する透水性シート材からなる透水性層部と、
吸水部を有する吸水材からなる吸水層部と
一対の相対する外側縁を有する非透水性シート材からなる非透水性層部が、
前記透水性層部と前記非透水性層部の間に前記吸水層部が位置するように積層状をなす漏れ防止吸水構造であって、
前記非透水性シート材の一方の外側縁近傍部と他方の外側縁近傍部は、前記透水性層部側において互いに内側へ屈曲した状態で、それぞれ、前記透水性シート材の一方の外側縁近傍部及び他方の外側縁近傍部と接合されており、
前記非透水性層部を構成する非透水性シート材と前記透水性層部を構成する前記透水性シート材は、前記透水性層部の両外側縁が前記非透水性層部の両外側縁よりもそれぞれ内側に位置する状態で、扁平筒形状体を構成し、
その扁平筒形状体内における前記透水性層部と前記非透水性層部の間に、前記吸水材が位置して吸水層部を構成することにより、前記透水性層部と前記吸水層部と前記非透水性層部が、この順に積層状をなすことを特徴とする漏れ防止吸水構造。
【０００９】
(2) 上記非透水性シート材が、上記透水性シート材よりも、前記一対の相対する外側縁同士の幅が広いものであり、
前記非透水性シート材の一方の外側縁近傍部と他方の外側縁近傍部が、それぞれ、前記透水性シート材の一方の外側縁近傍部及び他方の外側縁近傍部と重ねて縫い合わせられた筒形状体の内側と外側が反転した状態において、前記非透水性シート材の一方の外側縁近傍部と他方の外側縁近傍部は、上記透水性層部側において互いに内側へ屈曲した状態で、それぞれ、前記透水性シート材の一方の外側縁近傍部及び他方の外側縁近傍部と接合されており、
上記非透水性層部を構成する前記非透水性シート材と上記透水性層部を構成する前記透水性シート材は、前記透水性層部の両外側縁が前記非透水性層部の両外側縁よりもそれぞれ内側に位置する状態で、上記扁平筒形状体を構成している上記(1)記載の漏れ防止吸水構造。
【００１０】
(3) 上記非透水性シート材の一方の外側縁近傍部及び他方の外側縁近傍部の、それぞれ、上記透水性シート材の一方の外側縁近傍部及び他方の外側縁近傍部との接合が、縫い合わせによる接合である上記(1)又は(2)記載の漏れ防止吸水構造。
【００１１】
(4) 上記吸水材が一対の相対する外側縁を有し、
上記非透水性シート材の一対の相対する外側縁近傍部のうち、上記透水性層部側において内側へ屈曲した部分により、前記吸水材の外側縁近傍部が上記非透水性層部側、外側及び前記透水性層部側にわたり覆われている上記(1)乃至(3)の何れか１項に記載の漏れ防止吸水構造。
【００１２】
(5) 上記吸水材が、上記透水性層部側に吸水部を有し、上記非透水性層部側は非透水部により構成されている上記(1)乃至(4)の何れか１項に記載の漏れ防止吸水構造。
【００１３】
(6) 上記扁平筒形状体は、その扁平筒形状体内の両外側縁同士の幅が、当該扁平筒形状体の一方の端部から他方の端部に向かって漸次縮小する漸次縮小筒状部分を有し、
上記吸水材が、一対の相対する外側縁を有すると共に、それらの外側縁同士の幅が、当該吸水材の一方の端部から他方の端部に向かって漸次縮小する漸次縮小部分を有し、
前記扁平筒形状体内に対し、その前記一方の端部より、前記吸水材が、その前記他方の端部側から挿入され、前記漸次縮小筒状部分に前記漸次縮小部分が嵌合保持されるものである上記(1)乃至(5)の何れか１項に記載の漏れ防止吸水構造。
【００１４】
(7) 上記扁平筒形状体内における透水性層部と非透水性層部の間に、上記吸水材が前記扁平筒形状体に対し非縫着及び非接合状態で位置する上記(1)乃至(6)の何れか１項に記載の漏れ防止吸水構造。
【００１５】
(8) 上記扁平筒形状体内の一方の端部及び他方の端部の両方又は一方に上記吸水材の一部が位置しない上記(1)乃至(7)の何れか１項に記載の漏れ防止吸水構造。
【００１６】
(9) 上記(1)乃至(8)の何れか１項に記載の漏れ防止吸水構造を所要箇所に備えた衣類。
【００１７】
(10) 股部を有し、その股部の内面側に上記透水性層部が位置するように漏れ防止吸水構造を備えた上記(9)記載の衣類。
【００１８】
(11) 上記(1)乃至(8)の何れか１項に記載の漏れ防止吸水構造を備えた漏れ防止吸水体。
【００１９】
(12) 股部を有し、その股部の内面側に上記透水性層部が位置するように上記(11)記載の漏れ防止吸水体を保持した衣類。
【００２０】
(13) 内面側に扁平袋状部が設けられ、
その扁平袋状部の内面側に透水性シート状部を有し、
その透水性シート状部に上記透水性層部が臨むように、前記扁平袋状部内に上記(11)記載の漏れ防止吸水体を保持した衣類。
【００２１】
(14) 上記(5)記載の漏れ防止吸水構造を備えた漏れ防止吸水体を保持した衣類であって、
前記漏れ防止吸水体における扁平筒形状体内の吸水材の一方の端部及び他方の端部の両方又は一方に、透水性層部側に吸水部を有しない部分があり、当該吸水部を有しない部分と、透水性シート材と、非透水性シート材と衣類の所要箇所が縫着保持された衣類。
【考案の効果】
【００２２】
本考案の漏れ防止吸水構造並びにその構造を備えた衣類及び漏れ防止吸水体は、尿漏れ、経血、その他の水系液体を、漏れを防止しつつ吸収することができる。
【図面の簡単な説明】
【００２３】
【図１】筒形状体の斜視図である。
【図２】扁平筒形状体の斜視図である。
【図３】吸水材の吸収部側の斜視図である。
【図４】吸水材の非透水部側の斜視図である。
【図５】漏れ防止吸水体の一端側の斜視図である。
【図６】漏れ防止吸水体の透水性層部側の斜視図である。
【図７】漏れ防止吸水体の非透水性層部側の平面図である。
【図８】サニタリーショーツの正面図である。
【図９】サニタリーショーツの内面側の斜視図である。
【図１０】扁平袋状部を反らせた状態のサニタリーショーツの内面側の斜視図である。
【考案を実施するための形態】
【００２４】
[1] 本考案の実施の形態を、図面を参照しつつ説明する。
【００２５】
図面は、本考案の実施の形態の一例としての、漏れ防止吸水構造（透水性層部と吸水層部と非透水性層部がこの順に積層状をなす構造）を備えた吸水パッド（漏れ防止吸水体）及び並びにその吸水パッド備えたサニタリーショーツ（衣類）に関するものである。
【００２６】
(1) 吸水パッドＰの透水性層部Ａ
【００２７】
透水性層部Ａは、一対の相対する外側縁１１を有するポリエステル繊維製のメッシュ状の透水性シート材１０からなる。
【００２８】
透水性シート材１０の平面視形状は、互いに対称形状をなす一対の相対する直線状の外側縁１１と、前端縁１２と後端縁１３を有するものである。
【００２９】
一対の外側縁１１同士の幅は、前端部から後端部に向かって全体が漸次縮小する。
【００３０】
前端縁１２は、前向きに凸状をなす湾曲線状であり、後端縁１３は、透水性シート材１０の前後方向に直交する直線状である。
【００３１】
(2) 吸水パッドＰの吸水層部Ｂ
【００３２】
吸水層部Ｂは、底面側が非透水フィルム層２４（非透水部）により覆われ、非透水フィルム層２４の表側には、全面吸水部２５を有する状態でキルティングにより安定化されたもの（必ずしもキルティングを要するものではない）と、その表側に積層された、外周が一回り小さい高吸水部２６がその高吸水部２６の両側縁部に沿って縫い合わされた、シート状の吸水材２０からなる。なお、全面吸水部２５のみを、又は、底面側の非透水フィルム層２４及び全面吸水部２５を、特段の吸水性を有しない布地に代えることもできる。サニタリーショーツＳの扁平袋状部Ｓ２内に保持して用いる場合等においても同様である。
【００３３】
吸水材２０の平面視形状は、図３及び図４に示されるように、互いに対称形状をなす一対の相対する直線状の外側縁２１と、前端縁２２と後端縁２３を有するものである。一対の外側縁２１同士の幅は、前端部から後端部に向かって全体が漸次縮小する（全体が漸次縮小部分）。前端縁２２は、前向きに凸状をなす湾曲線状であり、後端縁２３は、吸水材２０の前後方向に直交する直線状である。
【００３４】
(3) 吸水パッドＰの非透水性層部Ｃ
【００３５】
非透水性層部Ｃは、一対の相対する外側縁３１を有する非透水性シート材３０からなる。
【００３６】
非透水性シート材３０は、ポリエステル繊維からなる伸縮性を有する布地の一方の面（図１における内側の面、図２及び図５における外側の面）に、非透水性、撥水性及び伸縮性を有する樹脂コーティングを施したものである。
【００３７】
非透水性シート材３０の平面視形状は、互いに対称形状をなす一対の相対する直線状の外側縁３１と、前端縁３２と後端縁３３を有するものである。一対の外側縁３１同士の幅は、前端部から後端部に向かって全体が漸次縮小する。前端縁３２は、前向きに凸状をなす湾曲線状であり、後端縁３３は、非透水性シート材３０の前後方向に直交する直線状である。
【００３８】
非透水性シート材３０の一対の相対する外側縁３１同士の幅は、全長にわたり、透水性シート材１０の相対する外側縁１１同士の幅よりも広い。
【００３９】
(4) 吸水パッドＰの扁平筒形状体Ｆ
【００４０】
(4-1) 非透水性シート材３０の一方の外側縁近傍部３１ａと他方の外側縁近傍部３１ａを、それぞれ、（図１に示されるように非透水性シート材３０の両外側縁３１同士の間の部分を弛ませることにより）前記透水性シート材１０の一方の外側縁近傍部１１ａ及び他方の外側縁近傍部１１ａと重ね合わせた状態とし、その状態で両者を両外側縁近傍部においてそれぞれ縫い合わせることにより図１に示す筒形状体Ｇを形成する。
【００４１】
その筒形状体Ｇの各横断面は、図１に示される前端部Ｇ１と同様に、非透水性シート材３０の長さが透水性シート材１０の長さより長いものとなる。
【００４２】
この筒形状体Ｇの内側と外側を反転させることにより、図２に示されるように、非透水性シート材３０の一方の外側縁近傍部３１ａと他方の外側縁近傍部３１ａ（図２における左右の外側縁近傍部３１ａ）が、透水性層部Ａ側（図２における上側）において互いに内側へ屈曲した状態で、それぞれ、透水性シート材１０の一方の外側縁近傍部１１ａ及び他方の外側縁近傍部１１ａ（図２における左右の外側縁近傍部１１ａ）と接合され、非透水性層部Ｃを構成する非透水性シート材３０と透水性層部Ａを構成する透水性シート材１０が、透水性層部Ａの両外側縁Ａ１が非透水性層部Ｃの両外側縁Ｃ１よりもそれぞれ内側に位置する状態の扁平筒形状体Ｆとすることができる。
【００４３】
従って、この扁平筒形状体Ｆの横断面（扁平筒形状体Ｆにおける前後方向［軸線方向］に直交する断面）の外周において、図２に示されるように、透水性シート材１０は、非透水性シート材３０の互いに内側へ屈曲した両外側縁近傍部３１ａと当該透水性シート材１０との接合位置よりも外側に食み出さないものとすることができる。
【００４４】
(5) 吸水パッドＰの漏れ防止吸水構造
【００４５】
(5-1) 扁平筒形状体Ｆ内における透水性層部Ａと非透水性層部Ｃの間に、扁平筒形状体Ｆの前後方向［軸線方向］における前端部（図２、５、６及び７における手前側の端部）から、吸水材２０がその後端部（図３及び４における後方側の端部）から挿入されて吸水層部Ｂを構成することにより、透水性層部Ａと吸水層部Ｂと非透水性層部Ｃが、この順に積層状をなす。吸水層部Ｂは、尿漏れ、経血、その他の水系液体を、透水性層部Ａを介して吸収し得る。
【００４６】
なお、扁平筒形状体Ｆの前後端部には、それぞれ吸水材２０の前端部及び後端部は位置しない。これにより、吸水パッドＰを衣類の股部の内側に用いた場合に、扁平筒形状体Ｆの端部の厚みが吸水材２０の一部と重なることにより増大して使用者に違和感が生じることを防ぐことができる。
【００４７】
非透水性シート材３０の一方の外側縁近傍部３１ａと他方の外側縁近傍部３１ａは、透水性層部Ａ側（図５における上側）において互いに内側へ屈曲した状態で、それぞれ、透水性シート材１０の左右外側縁近傍部１１ａと縫着接合されており、非透水性層部Ｃを構成する非透水性シート材３０と透水性層部Ａを構成する透水性シート材１０は、透水性層部Ａの両外側縁Ａ１が非透水性層部Ｃの両外側縁Ｃ１よりもそれぞれ内側に位置する状態で、扁平筒形状体Ｆを構成し、扁平筒形状体Ｆ内における透水性層部Ａと非透水性層部Ｃの間に、吸水材２０が位置することにより、透水性層部Ａと吸水層部Ｂと非透水性層部Ｃが、この順に積層状（図５において、上から下に透水性層部Ａ、吸水層部Ｂ、非透水性層部Ｃの順に積層状）をなすので、透水性層部Ａを経た水系液体が吸水層部Ｂを経て又は吸水層部Ｂを経ずに前記非透水性層部Ｃの裏側（吸水層部Ｂが位置する側とは逆側、図５における下側）へ漏れることが防がれる。
【００４８】
(5-2) 吸水材２０は、扁平筒形状体Ｆ内における透水性層部Ａと非透水性層部Ｃの間に挿入されて（縫着又は接合されずに）保持されるものである。
【００４９】
扁平筒形状体Ｆ内の両外側縁同士の幅は、全長にわたり当該扁平筒形状体Ｆの前端部Ｆ１から後端部Ｆ２に向かって漸次縮小（全長にわたる漸次縮小筒状部分）し、吸水材２０の外側縁２１同士の幅も、前端縁２２から後端縁２３に向かって全長にわたり漸次縮小（全長にわたり漸次縮小部分）しており、扁平筒形状体Ｆ内に対し、その扁平筒形状体Ｆの前端部より、吸水材２０が、その後端部側から挿入されることにより、吸水材２０の左右の外側縁２１が、扁平筒形状体Ｆ内の両外側縁の間に嵌合保持される。
【００５０】
そのため、吸水パッドＰを、より効率的に製造することができる。また、吸水材２０が非透水性層部Ｃに縫着等されることにより非透水性層部Ｃを通じて吸水材２０が吸収した水系液体が漏れること等が生じることも防がれる。
【００５１】
(5-3) また、吸水材２０の左右外側縁近傍部２１ａは、扁平筒形状体Ｆ内において、非透水性シート材３０の左右の外側縁３１のうち、透水性層部Ａ側（図５における上側）において内側へ屈曲した部分により、下側、外側及び上側にわたり覆われているので、吸水材２０が吸収した液体が、その吸水材２０の外側縁２１付近から漏れることが、非透水性シート材３０によって、より効果的に防がれる。
【００５２】
(6) 吸水パッドＰを備えたサニタリーショーツＳ（衣類）
【００５３】
このサニタリーショーツＳは、その股部Ｓ１の内面側に、扁平袋状部Ｓ２を有し、この扁平袋状部Ｓ２は、内面側（身体側）に、メッシュ生地よりなる透水性シート状部Ｓ３を有する
【００５４】
また扁平袋状部Ｓ２は、股部Ｓ１の前後方向が吸水パッドＰの前後方向と一致するように内部に保持される形状及び大きさに形成され、扁平袋状部Ｓ２内において吸水パッドＰがずれることは実質上生じない。
【００５５】
また、この扁平袋状部Ｓ２は、その前端縁（図９における手前側）の左右端にわたる部分及び後端縁（図９における奥側）の左右端にわたる部分においてのみサニタリーショーツＳの股部Ｓ１の内面側に縫着固定されており、前後縁の間の部分は、サニタリーショーツＳの股部Ｓ１の内面側に対し接合されてはいない。
【００５６】
吸水パッドＰは、その透水性層部Ａが内面側（身体側）に臨むように、扁平袋状部Ｓ２内に保持され、水系液体を、扁平袋状部Ｓ２の透水性シート状部Ｓ３及び吸水パッドＰの透水性層部Ａを介して吸水パッドＰの吸水層部Ｂに吸収し得る。なお、吸水パッドＰの前端部及び後端部のそれぞれにおける透水性シート材１０、非透水フィルム層２４及び全面吸水部２５（高吸水部２６は含まない）、並びに非透水性シート材３０を、扁平袋状部Ｓ２の前後端部と縫い合わせて、吸水パッドＰが扁平袋状部Ｓ２内に更に安定保持されるものとすることもできる。
【００５７】
[2] 本考案の実施の形態を、上記以外の形態を含めて更に説明する。
【００５８】
本考案の漏れ防止吸水構造は、透水性層部と吸水層部と非透水性層部が、前記透水性層部と前記非透水性層部の間に前記吸水層部が位置するように積層状をなすものである。
【００５９】
本考案の漏れ防止吸水体は、本考案の漏れ防止吸水構造を備えるものである。
【００６０】
(1) 透水性層部
【００６１】
透水性層部は、一対の相対する外側縁を有する透水性シート材からなる。
【００６２】
透水性シート材としては、例えば、厚さ方向の全体がメッシュ状に多数の透孔状部を満遍なく有する編地や、厚さ方向の一方の側が多数の透孔状部を満遍なく有するメッシュ状で他方の側は透孔状部を有しない非メッシュ状であるもの等を挙げることができるが、これらに限るものではない。
【００６３】
透水性シート材の素材としては、例えば、ポリエステルやナイロン等の吸水性に乏しい繊維を用いることができるが、これらに限るものではない。
【００６４】
透水性シート材の平面視形状としては、例えば、互いに対称形状をなす若しくは非対称形状の一対の相対する外側縁と、一方の端縁と他方の端縁（例えば前後端縁）を有するものを挙げることができる。
【００６５】
外側縁の例としては、直線状又は凸状若しくは凹状の湾曲線状若しくは折線状をなすものを挙げることができる。一対の外側縁同士の幅は、例えば、一方の端部から他方の端部に向かって漸次縮小する部分を有するもの（一方の端部から他方の端部に向かって全体が漸次縮小するものを含む）や、一定であるものとすることができるが、これらに限るものではない。
【００６６】
一方の端縁と他方の端縁の例としては、直線状又は凸状若しくは凹状の湾曲線状若しくは折線状をなすものを挙げることができる。
【００６７】
(2) 吸水層部
【００６８】
吸水層部は、吸水部を全体又は部分に有する吸水材からなる。
【００６９】
吸水部は、例えば、木材パルプ、天然セルロース繊維、再生セルロース繊維、高分子吸収材等の１種又は２種以上からなるものとすることができる。
【００７０】
吸水部を部分に有する吸水材の例としては、吸水部を吸水材の全体に満遍なく有するもの若しくは吸水部を主要部に有するもの、これらの何れかにおける所定の面に沿う部分が非透水部により構成されたもの（例えば非透水フィルム層）、又は、非透水部により構成された所定の面に沿う部分以外は吸水部からなるものを挙げることができる。
【００７１】
吸水材は、例えばシート状をなすものとすることができる。シート状をなす吸水材は、全部が吸水部からなるもの、又は、例えば、一方の面の側は吸水部からなり、他方の面の側は非透水部により構成されたもの（例えば非透水フィルム層）とすることができる。
【００７２】
シート状をなす吸水材又はその他の形態の吸水材の平面視形状としては、例えば、互いに対称形状をなす若しくは非対称形状の一対の相対する外側縁と、一方の端縁と他方の端縁（例えば前後端縁）を有するものを挙げることができる。
【００７３】
外側縁の例としては、直線状又は凸状若しくは凹状の湾曲線状若しくは折線状をなすものを挙げることができる。一対の外側縁同士の幅は、例えば、一方の端部から他方の端部に向かって漸次縮小する部分を有するもの（一方の端部から他方の端部に向かって全体が漸次縮小するものを含む）や、一定であるものとすることができるが、これらに限るものではない。
【００７４】
一方の端縁と他方の端縁の例としては、直線状又は凸状若しくは凹状の湾曲線状若しくは折線状をなすものを挙げることができる。
【００７５】
(3) 非透水性層部
【００７６】
非透水性層部は、一対の相対する外側縁を有する非透水性シート材からなる。
【００７７】
非透水性シート材としては、例えば、ポリエステルやナイロン等の吸水性に乏しい繊維からなる伸縮性を有する布地の一方の面又は両方の面に、ポリウレタン樹脂系エラストマー、シリコーン樹脂エラストマー等の非透水性、撥水性及び伸縮性を有する樹脂コーティングを施したものを挙げることができるが、これらに限るものではない。
【００７８】
非透水性シート材の平面視形状としては、例えば、互いに対称形状をなす若しくは非対称形状の一対の相対する外側縁と、一方の端縁と他方の端縁（例えば前後端縁）を有するものを挙げることができる。
【００７９】
外側縁の例としては、直線状又は凸状若しくは凹状の湾曲線状若しくは折線状をなすものを挙げることができる。一対の外側縁同士の幅は、例えば、一方の端部から他方の端部に向かって漸次縮小するものや、一定であるものとすることができるが、これらに限るものではない。
【００８０】
一方の端縁と他方の端縁の例としては、直線状又は凸状若しくは凹状の湾曲線状若しくは折線状をなすものを挙げることができる。
【００８１】
(4) 扁平筒形状体
【００８２】
(4-1) 非透水性シート材の一方の外側縁近傍部と他方の外側縁近傍部は、透水性層部側において互いに内側へ屈曲した状態で、それぞれ、透水性シート材の一方の外側縁近傍部及び他方の外側縁近傍部と接合されている。その接合は、糸を用いた縫い合わせ、溶着（溶着可能な材料である場合）、接着剤を用いた接着等によるものとすることができる。外周縁近傍部は、外周縁を除外するものではない。
【００８３】
非透水性シート材と透水性シート材がこのように接合されることにより、非透水性層部を構成する非透水性シート材と透水性層部を構成する透水性シート材は、透水性層部の両外側縁が非透水性層部の両外側縁よりもそれぞれ内側に位置する状態で、扁平筒形状体を構成する。
【００８４】
従って、この扁平筒形状体の横断面（扁平筒形状体における軸線方向に直交する断面）の外周において、透水性シート材は、非透水性シート材の互いに内側へ屈曲した両外側縁近傍部と当該透水性シート材との接合位置よりも外側に食み出さないものとすることができる。、
【００８５】
(4-2) 非透水性シート材及び透水性シート材としては、非透水性シート材が、透水性シート材よりも、（それぞれのシート材の）前記一対の相対する外側縁同士の幅が広い（例えば一対の相対する外側縁の全長にわたり、又は部分において、幅が広い）ものを用いることができる。
【００８６】
この場合、前記非透水性シート材の一方の外側縁近傍部と他方の外側縁近傍部を、それぞれ、（例えば、非透水性シート材の両外側縁近傍部同士の間の部分を弛ませることにより）前記透水性シート材の一方の外側縁近傍部及び他方の外側縁近傍部と重ね合わせた状態とし、その状態で両者を両外側縁近傍部においてそれぞれ縫い合わせることにより筒形状体を形成すると、その横断面において非透水性シート材の長さが透水性シート材の長さより長い筒形状体となる。
【００８７】
この筒形状体の内側と外側を反転させることにより、
前記非透水性シート材の一方の外側縁近傍部と他方の外側縁近傍部が、上記透水性層部側において互いに内側へ屈曲した状態で、それぞれ、前記透水性シート材の一方の外側縁近傍部及び他方の外側縁近傍部と接合され、
上記非透水性層部を構成する前記非透水性シート材と上記透水性層部を構成する前記透水性シート材が、前記透水性層部の両外側縁が前記非透水性層部の両外側縁よりもそれぞれ内側に位置する状態の扁平筒形状体とすることができる。
【００８８】
(5) 漏れ防止吸水構造
【００８９】
(5-1) 扁平筒形状体内における透水性層部と非透水性層部の間に、吸水材が（例えば扁平筒形状体の軸線方向における何れかの端部から挿入されて）位置して吸水層部を構成することにより、透水性層部と吸水層部と非透水性層部が、この順に積層状をなす。吸水層部は、ある程度の量の尿、経血、その他の水系液体を、透水性層部を介して吸収し得るものとすることができる。
【００９０】
この積層状態は、吸水材の一部が扁平筒形状体内の一方の端部及び他方の端部の両方又は一方に位置しないものとすることができる。これにより、扁平筒形状体の端部の厚みが吸水材の一部と重なることにより増大して使用者に違和感（例えば、衣類の股部の内側に用いた場合の違和感）を防ぐことも可能である。
【００９１】
上記のように、
非透水性シート材の一方の外側縁近傍部と他方の外側縁近傍部は、前記透水性層部側において互いに内側へ屈曲した状態で、それぞれ、前記透水性シート材の一方の外側縁近傍部及び他方の外側縁近傍部と接合されており、
前記非透水性層部を構成する非透水性シート材と前記透水性層部を構成する前記透水性シート材は、前記透水性層部の両外側縁が前記非透水性層部の両外側縁よりもそれぞれ内側に位置する状態で、扁平筒形状体を構成し、
その扁平筒形状体内における前記透水性層部と前記非透水性層部の間に、前記吸水材が位置することにより、前記透水性層部と前記吸水層部と前記非透水性層部が、この順に積層状（例えば、上から下に透水性層部、吸水層部、非透水性層部の順に積層状）をなすので、前記透水性層部を経た水系液体が前記吸水層部を経て又は吸水層部を経ずに前記非透水性層部の裏側（吸水層部が位置する側とは逆側）へ漏れることが防がれ、この漏れ防止吸水構造を有する物品を効率的に製造することができる。
【００９２】
(5-2) 吸水材は、扁平筒形状体内における透水性層部と非透水性層部の間に、前記扁平筒形状体に対し非縫着及び非接合（接着若しくは溶着）状態で（例えば、扁平筒形状体内に挿入されているだけで縫着又は接合されずに）保持されて位置するものとすることができる。
【００９３】
この場合、本考案の漏れ防止吸水構造を有する物品を、より効率的に製造することができる。また、例えば吸水材が非透水性層部に縫着等されることにより非透水性層部を通じて吸水材が吸収した水系液体が漏れること等が生じることも防がれる。
【００９４】
例えば、扁平筒形状体が、その扁平筒形状体内の両外側縁同士の幅が、当該扁平筒形状体の一方の端部から他方の端部に向かって漸次縮小する漸次縮小筒状部分を有し、
吸水材が、一対の相対する外側縁を有すると共に、それらの外側縁同士の幅が、当該吸水材の一方の端部から他方の端部に向かって漸次縮小する漸次縮小部分を有し、
前記扁平筒形状体内に対し、その前記一方の端部より、前記吸水材が、その前記他方の端部側から挿入され、前記漸次縮小筒状部分に前記漸次縮小部分が嵌合保持されるものである場合、漏れ防止吸水構造を有する物品を、（例えば、扁平筒形状体内の一方の端部及び他方の端部に吸水材の一部が位置しない状態で）一層効率的に製造することができる。
【００９５】
(5-3) 上記吸水材が一対の相対する外側縁を有し、上記非透水性シート材の一対の相対する外側縁近傍部のうち、上記透水性層部側において内側へ屈曲した部分により、前記吸水材の外側縁近傍部が上記非透水性層部側、外側及び前記透水性層部側にわたり（例えば、上から下に透水性層部、吸水層部、非透水性層部の順に積層状をなす状態である場合は、吸水材の外側縁近傍部の下側、外側及び上側にわたり）覆われているものとすることにより、吸水材が吸収した液体が、その吸水材の外側縁付近から漏れることが、非透水性シート材によって、より効果的に防がれる。
【００９６】
(5-4) 上記漏れ防止吸水構造を備えた漏れ防止吸水体は、例えば、全体又は大部分が漏れ防止吸水構造部であるものとすることができる。、漏れ防止吸水体の具体例としては、漏れ防止吸水パッドを挙げることができるが、これに限るものではない。
【００９７】
(6) 衣類
【００９８】
(6-1) 本考案の衣類は、上記漏れ防止吸水構造を、例えば透水性層部が内面側（身体側）に臨むように、所要箇所に備えるもの（漏れ防止吸水構造が組み込まれたもの、漏れ防止吸水構造が組み込まれていて吸水材を着脱又は交換し得るもの等）である。
【００９９】
(6-2) 本考案の衣類は、上記漏れ防止吸水体を、例えば透水性層部が内面側（身体側）に臨むように、所要箇所に備えることにより上記漏れ防止吸水構造を所要箇所に備えるものとすることもできる。
【０１００】
漏れ防止吸水体を所要箇所に備える構成としては、例えば、
漏れ防止吸水体の非透水性層部側を面ファスナーにより衣類の所要箇所に着脱し得る構成、
漏れ防止吸水体の非透水性層部側を粘着剤により脱離可能な状態で衣類の所要箇所に保持する構成、
衣類の所要箇所に、扁平袋状部であって、内面側（身体側）に透水性シート状部（例えばメッシュ生地よりなるもの）を有するものを設け、その扁平袋状部内に、漏れ防止吸水体の透水性層部が前記透水性シート状部に臨むように（開閉部を設けること等により取り出し若しくは交換可能に又は取り出し不能に）保持し、水系液体を前記透水性シート状部及び透水性層部を介して吸水層部に吸収し得る構成
を挙げることができるが、これらに限るものではない。
【０１０１】
なお、前記扁平袋状部は、例えば、衣類本体に対し所定の１又は２以上の箇所（例えば扁平袋状部の一定方向における一端部又は両端部）においてのみ結合されているものとすることもできる。
【０１０２】
漏れ防止吸水体を保持した衣類は、漏れ防止吸水体における扁平筒形状体内の吸水材の一方の端部及び他方の端部の両方又は一方に、透水性層部側に吸水部を有しない部分があり、当該吸水部を有しない部分と、透水性シート材と、非透水性シート材と衣類の所要箇所が縫着されて、前記扁平袋状部内において、又はその他の部分において、その衣類に安定保持されたものとすることもできる。
【０１０３】
(6-3) 本考案の衣類の例としては、股部を有するもの（例えばショーツ等）を挙げることができる。股部を有する衣類の場合、その股部の内面側に上記透水性層部が位置するように漏れ防止吸水構造を備えたもの、或いは、その股部の内面側に上記透水性層部が位置するように漏れ防止吸水体を保持したものとすることができる。
【符号の説明】
【０１０４】
１０      透水性シート材
１１      外側縁
１１ａ    外側縁近傍部
１２      前端縁
１３      後端縁
２０      吸水材
２１      外側縁
２１ａ    外側縁近傍部
２２      前端縁
２３      後端縁
２４      非透水フィルム層
２５      全面吸水部
２６      高吸水部
３０      非透水性シート材
３１      外側縁
３１ａ    外側縁近傍部
３２      前端縁
３３      後端縁
Ａ        透水性層部
Ａ１      外側縁
Ｂ        吸水層部
Ｃ        非透水性層部
Ｃ１      外側縁
Ｆ        扁平筒形状体
Ｆ１      前端部
Ｆ２      後端部
Ｇ        筒形状体
Ｇ１      前端部
Ｐ        吸水パッド
Ｓ        サニタリーショーツ
Ｓ１      股部
Ｓ２      扁平袋状部
Ｓ３      透水性シート状部
【図１】
0003232993.tif 000003
【図２】
0003232993.tif 000004
【図３】
0003232993.tif 000005
【図４】
0003232993.tif 000006
【図５】
0003232993.tif 000007
【図６】
0003232993.tif 000008
【図７】
0003232993.tif 000009
【図８】
0003232993.tif 000010
【図９】
0003232993.tif 000011
【図１０】
0003232993.tif 000012